(57)【特許請求の範囲】
【請求項１】
入金する紙幣が投入され、または出金する紙幣を受取る紙幣入出金口と、その紙幣入出金口から投入された紙幣および搬送路で搬送された出金する紙幣を集積する紙幣プールの底面および三側面を形成する紙幣プール壁と、その紙幣プールに投入され集積された紙幣を分離して繰出す繰出しローラとを有する紙幣入出金機において、
第１の板材と第２の板材を回動可能に支持した支点でスプリング等の弾性材により付勢され屈折可能なビルプレスと、
一端部に設けたスタッドが該ビルプレスの第１の板材に設けたスライド部の規制枠に接続され、他端部が紙幣プール壁に設けた支点で回動可能に軸支されたビルプレスアームリンクを備え、
該ビルプレスアームリンクを回動させて該ビルプレスで紙幣プールの前側面を形成するようにしたことを特徴とする紙幣入出金機。
【請求項２】
請求項１の紙幣入出金機において、
前記ビルプレスアームリンクに紙幣プールの奥方向へ付勢するスプリングを接続し、
入金時に、前記ビルプレスアームリンクを回動させ、前記ビルプレスの第１の板材で紙幣プールに投入された紙幣を押圧して繰出しローラに当接させるようにしたことを特徴とする紙幣入出金機。
【請求項３】
請求項１および請求項２の紙幣入出金機において、
前記ビルプレスの第１の板材の先端部に支点を設け、その支点で一端部が回動可能に軸支され他端部が前記紙幣プール壁に設けた支点で回動可能に軸支されたアームと、前記紙幣プール壁に設けた該アームの回動を係止するストッパとを備え、
出金時に、前記ビルプレスアームリンクを回動させ、その回動によるビルプレスの移動とともに回動される前記アームを前記ストッパで係止し、さらに前記ビルプレスアームリンクを回動させて前記ビルプレスの第１の板材と第２の板材が直線状になるようにして出金する紙幣を集積させるようにしたことを特徴とする紙幣入出金機。
【発明の詳細な説明】
【技術分野】
【０００１】
本発明は、自動取引装置等の紙幣入出金機に関し、特に、紙幣の取り忘れを防止する紙幣入出金機に関する。
【背景技術】
【０００２】
従来の紙幣入出金機を図面にしたがって説明する。
図１５は従来の紙幣入出金機における紙幣投入または受取り時の紙幣入出金部の左側断面の説明図である。
図１５において、１６１は紙幣プール壁であり、紙幣入出金部に紙幣１６５を蓄積する空間を形成し、側断面が略Ｌ字形の部材である。
【０００３】
１６２は紙幣プールであり、紙幣プール壁１６１で形成された入金または出金する複数の紙幣１６５を一時的に蓄積しておく空間である。この紙幣プール１６２は紙幣１６５の長手方向が水平方向に、短手方向が鉛直方向になるように形成され、顧客が紙幣１６５の投入および受取りをすることが可能になっている。
１６３は紙幣入出金口シャッタであり、紙幣プール１６２の上部に前後にスライドするように配置されている。
【０００４】
１６４はビルプレスであり、側断面が略直線状に形成され一端が屈折したものである。このビルプレス１６４は紙幣プール１６２の一側面を形成している。また、このビルプレス１６４は投入された紙幣１６５を押圧することができようになっている。
図１６は従来の紙幣入出金機における入金紙幣分離時の紙幣入出金部の左側断面の説明図である。
【０００５】
図１６において、１６６は繰出しローラであり、紙幣プール１６２に投入され、ビルプレス１６４で押圧された紙幣１６５を１枚ずつ分離して繰出すものである。
１６７は紙幣プール支点であり、紙幣プール１６２を紙幣入出金機の奥部方向に９０度回転させることができる支点である。紙幣プール１６２を９０度回転させ紙幣１６５を繰出しローラ１６６に当接させ、その繰出しローラ１６６を回転させ紙幣１６５を１枚ずつ分離して繰出し入金動作を行う。
【０００６】
図１７は従来の紙幣入出金機における出金紙幣集積時の紙幣入出金部の左側断面の説明図である。
図１７において、１６８は紙幣集積ローラである。この紙幣集積ローラを回転させ搬送路１６９から搬送された出金紙幣１６５を紙幣プール１６２へ集積するために搬送する。この出金紙幣１６５を紙幣プール１６２へ集積するときビルプレス１６４は紙幣１６５が衝突しないように紙幣入出金部の上部に退避させておく。紙幣１６５の集積が完了すると紙幣プール１６２を紙幣入出金機の前方に９０度回転させ、さらに紙幣入出金口シャッタ１６３を開放して顧客が紙幣１６５を受取ることができるようにする。
【０００７】
従来の紙幣入出金機は、このように構成された紙幣入出金部を備えている。
また、触手検知センサを紙幣入出金口に取り付け紙幣を意識的に取り出せることにより紙幣の取り忘れを防止させるようにしているものもある（例えば、特許文献１参照）。
【特許文献１】特開平１０−３０２１１６号公報（段落「０００８」〜段落「００１４」、図４）
【発明の開示】
【発明が解決しようとする課題】
【０００８】
しかしながら、上述した従来の技術においては、ビルプレス１６４で押圧して紙幣１６５を繰出しローラ１６６に当接させるため、ビルプレス１６４の一端から他端部の屈折した部位までの長さは紙幣プール１６２の底面から繰出しローラ１６６の中心までの長さよりも長くする必要がある。したがって、ビルプレス１６４はほぼ紙幣の短手方向の長さを必要とするため紙幣プール１６２が深くなってしまい、操作者が紙幣プール１６２に残った紙幣等を視覚で確認することが困難であるという問題がある。特に、老人や車椅子に搭乗した人の視点は低いため、視覚で確認することが困難であるという問題がある。
【０００９】
また、自動取引装置等には硬貨入出金口も存在するため紙幣入出金口に硬貨が誤って投入されることもあるところ、ビルプレス１６４の側断面は略直線形状であり、その直線形状を形成する面で投入された紙幣を押圧するため、投入された紙幣に異物が混入していた場合、その異物を落下させることが難しいという問題がある。
本発明は、このような問題を解決することを課題とする。
【課題を解決するための手段】
【００１０】
そのため、本発明は、入金する紙幣が投入され、または出金する紙幣を受取る紙幣入出金口と、その紙幣入出金口から投入された紙幣および搬送路で搬送された出金する紙幣を集積する紙幣プールの底面および三側面を形成する紙幣プール壁と、その紙幣プールに投入され集積された紙幣を分離して繰出す繰出しローラとを有する紙幣入出金機において、第１の板材と第２の板材を回動可能に支持した支点でスプリング等の弾性材により付勢され屈折可能なビルプレスと、一端部に設けたスタッドが該ビルプレスの第１の板材に設けたスライド部の規制枠に接続され、他端部が紙幣プール壁に設けた支点で回動可能に軸支されたビルプレスアームリンクを備え、該ビルプレスアームリンクを回動させて該ビルプレスで紙幣プールの前側面を形成するようにしたことを特徴とする。
【００１１】
また、前記ビルプレスアームリンクに紙幣プールの奥方向へ付勢するスプリングを接続し、入金時に、前記ビルプレスアームリンクを回動させ、前記ビルプレスの第１の板材で紙幣プールに投入された紙幣を押圧して繰出しローラに当接させるようにしたことを特徴とする。
【発明の効果】
【００１２】
このようにした本発明は、紙幣プールに存在する紙幣を操作者の視覚により確認できる範囲を広くすることができ、紙幣の取り忘れ等を防止することができるという効果が得られる。
また、ビルプレスは紙幣プールに投入された紙幣の上端部を押圧するため、紙幣に混入した異物を紙幣プールから落下し易くすることができ、また、落下させることができなかった異物は紙幣プール内に残し易くすることができるという効果が得られる。
【発明を実施するための最良の形態】
【００１３】
以下、図面を参照して本発明による紙幣入出金機の実施例を説明する。
【実施例】
【００１４】
図１は実施例における紙幣入出金機の外観斜視図である。
図１において、１は紙幣入出金機であり、その前面に顧客操作表示盤２、紙幣入出金口３、カード挿入排出口４および明細票排出口５を備えている。
７は紙幣入出金機１の筐体である。
図２は実施例における紙幣入出金部の左側断面の説明図である。なお、図２の図中右側が紙幣入出金機１の前面側（以下、単に「前面側」という。）であり、図中左側が紙幣入出金機１の後面側（以下、単に「後面側」という。）である。
【００１５】
図２において、２１は紙幣プール壁であり、側断面が略Ｌ字状に形成されたものである。この紙幣プール壁２１は紙幣を蓄積する空間である紙幣プール２２の側面および底部を形成し、その紙幣プール２２の側面は後面側の側面および左右の側面の三方向である。紙幣プール２２の底部は投入された紙幣２４に混入された異物等を紙幣プール２２から落下させることができるように、例えば、棒状の部材をはしご状に配置して形成されている。
【００１６】
なお、紙幣プール２２と筐体７の間には図示しない紙幣入出金口シャッタおよび駆動手段が設けられており、開閉可能に形成されている。
２３は異物回収箱であり、紙幣プール２２の下方に設けられ、紙幣プール２２に投入された紙幣２４に混入された異物等を紙幣プール壁２１の底部から落下させ、それを貯留しておくものである。
【００１７】
２５はビルプレスであり、紙幣プール２２の前面側の一側面を形成するものである。また、このビルプレス２５は紙幣プール２２に投入された紙幣２４を後述する繰出しローラに当接させるものでもある。なお、詳細は後述する。
上述した紙幣プール壁２１およびビルプレス２５により紙幣プール２２の底部および側面を形成し、また、図中上部が開口した紙幣プール２２を形成する。
【００１８】
２６は支点であり、紙幣プール壁２１の左右両側面に設けられたものである。この２６を支点として、紙幣プール２２を形成する紙幣プール壁２１等を図示しない駆動手段により回動させる。
紙幣を紙幣プール２２へ投入する場合、および紙幣プール２２の紙幣を受け取る場合、紙幣プール２２の開口部が紙幣入出金口３と対向する位置（この位置を「紙幣投入受取り位置」という。）に回動させ、紙幣プール２２へ投入された紙幣を繰出して入金する場合、および出金する紙幣を紙幣プール２２に集積する場合、紙幣プール２２の開口部が図中反時計回りに略９０度回転した位置（この位置を「入金紙幣分離位置」または「出金紙幣集積位置」という。）に回動させる。
【００１９】
２７は繰出しローラであり、外周の一部が他の部分より摩擦係数の大きいゴム等で形成されたものである。この繰出しローラ２７を図示しない駆動手段により図中反時計回りに回転させてビルプレス２５により当接された紙幣２４を１枚ずつ分離して繰出すことができる。なお、紙幣プール壁２１の側面には図示しない孔が設けられており、紙幣プール壁２１を回動させることにより紙幣プール２２に投入された紙幣２４は前記孔より突出した繰出しローラ２７に当接させることができる。
【００２０】
２８はフィードローラであり、繰出しローラ２７により繰出される紙幣２４の繰出し方向近傍に配置され図示しない駆動手段により回転可能なものである。
２９はゲートローラであり、フィードローラ２８の周面と接触させて配置され、紙幣取込みゲートを形成するものである。フィードローラ２８を図中反時計回りに回転させ、繰出しローラ２７により分離され繰出された紙幣２４をフィードローラ２８とゲートローラ２９で形成された紙幣取り込みゲートから入金紙幣搬送路３０へ搬送する。
【００２１】
４６は出金紙幣搬送路であり、ベルト等で構成され、出金する紙幣を搬送するものである。この出金搬送路４６により搬送された紙幣は出金紙幣集積位置に回動された紙幣プール２２に集積される。
上述した紙幣プール壁２１、紙幣プール２２、異物回収箱２３、ビルプレス２５、繰出しローラ２７、フィードローラ２８およびゲートローラ２９等で紙幣入出金部を構成する。
【００２２】
図３は実施例におけるビルプレスの構成を示す説明図である。また、図５は実施例における紙幣プールを構成する部位の斜視図である。
図３および図５において、３１はビルプレスＡであり、３２はビルプレスＢであり、略直方体状の板材である。この第１の板材であるビルプレスＡ３１と第２の板材であるビルプレスＢ３２は支点３３で回動可能に支持されビルプレス２５を形成する。なお、ビルプレスＡ３１およびビルプレスＢ３２の側断面の形状は直線形状であっても曲線形状であってもよい。
【００２３】
支点３３にはトーションバースプリング等の弾性材が設けられ図５に示すようにビルプレスＢ３２は支点３３で紙幣入出金機１の前面側である紙幣プール２２の外側に屈折し、ビルプレス２５がく字状を形成するように付勢されている。このようにして紙幣プール２２の空間を広くするとともに紙幣プール２２の視認性を向上させている。
３４はアームであり、両端部に貫通孔が設けられた板状の部材である。一の端部に設けられた貫通孔が支点３５でビルプレスＡ３１と回動可能に接続され、他の端部に設けられた貫通孔が支点２６で回転軸に回動可能に支持されている。
【００２４】
３６はビルプレスアームリンクであり、一の端部にスタッド３７が設けられ、他の端部に回転軸を通すことができる貫通孔を設けた板状の部材である。そのスタッド３７はビルプレスＡ３１に設けた規制枠であるスライド部３８に摺動可能に接続され、他の端部が支点２６で回転軸に回動可能に支持されている。このビルプレスアームリンク３６はスプリング３９により２６を支点として図中反時計回りに付勢されている。
【００２５】
また、このビルプレスアームリンク３６には係止部４０が設けられ、この係止部４０が後述するギアに設けられた係合突起と係合して、スプリング３９により付勢された方向と反対の方向である図中時計回りにビルプレスＡ３１を回動させることができる。
４１はギアであり、２６を中心として回転可能に設けたものである。このギア４１は図示しない駆動手段により回転する他のギアに噛合して回転駆動が伝達され、図中時計回りまたは反時計回りに回転させることができる。また、このギア４１には係合突起４３が設けられており、図中時計方向に回転させるとその係合突起４３がビルプレスアームリンク３６の係止部４０と係合してビルプレス２５を図中時計回りに回動させることができる。
【００２６】
図４は実施例におけるビルプレスの構成を示す左側断面の説明図である。
図４において、４４はスライド支点であり、ビルプレスＢ３２の下端部に設けられ、ビルプレスＢ３２と紙幣プール壁２１とを接続する棒状の部材である。
４５はスライド部であり、紙幣プール壁２１の底面に設けられた規制枠である。このスライド部４５はビルプレスＢ３２のスライド支点４４が摺動可能に接続されるものである。したがって、ビルプレスＢ３２の下端はスライド部４５で規制された中で開放されている。
【００２７】
図６は実施例におけるビルプレスアームリンクの説明図である。
図６において、４７はギアであり、ビルプレスアームリンク３６に固着されたものである。４８はカウンタギアであり、ギア４７に噛合してビルプレスアームリンク３６が回動する駆動を伝達するものである。
このギア４７、カウンタギア４８およびビルプレスアームリンク３６はビルプレス２５の両端にそれぞれ配置され、ふたつのカウンタギア４８は図示しない回転軸に固着されている。したがって、一方のビルプレスアームリンク３６が回動する駆動を他方のビルプレスアームリンク３６に伝達することができる。
【００２８】
上述した構成の作用について説明する。
まず、紙幣の投入から投入された紙幣を繰出すまでの紙幣入出金部の動作について説明する。
図２において、図示しない駆動手段により紙幣プール２２を紙幣投入受取り位置に回動させる。
【００２９】
次に、図４においてギア４１を図中時計回りに回転させる。
ギア４１を回転させると係合突起４３がビルプレスアームリンク３６の係止部４０に係合し、ビルプレスアームリンク３６を図中時計回りに回動させる。
ビルプレスアームリンク３６を図中時計回りに回動させるとビルプレスＡ３１は図２に示すように紙幣プール壁２１の底面に対して垂直に位置し、ビルプレスＢ３２は支点３３で紙幣プール２２の外側へ屈折し、ビルプレス２５はく字状になり、紙幣プール２２を形成する。
【００３０】
紙幣入出金機１は図示しない紙幣入出金口シャッタを開放し、顧客が入金する紙幣を投入できるようにする。顧客は紙幣プール２２に紙幣２４を投入する。
顧客により紙幣プール２２に紙幣２４が投入されるとギア４１を図４において図中反時計回りに回転させる。ギア４１を回転させると図７に示すようにビルプレスアームリンク３６はスプリング３９の弾性により付勢されビルプレスＡ３１は紙幣２４を押圧する。
【００３１】
次に、図８に示すように図示しない駆動手段により紙幣プール壁２１を入金紙幣分離位置に回動させ、ビルプレスＡ３１により押圧された紙幣２４を繰出しローラ２７に当接させる。ここで、図１４に示すようにビルプレスＡ３１は紙幣２４の先端部を押圧する。
投入された紙幣２４を繰出しローラ２７に当接させると、繰出しローラ２７、フィードローラ２８等を所定の方向に回転させ、紙幣２４を１枚ずつ分離して繰出し、紙幣の入金動作を開始する。
【００３２】
次に、出金する紙幣を紙幣プールに集積する場合の紙幣入出金部の動作について説明する。
図示しない駆動手段により紙幣プール２２を出金紙幣集積位置に回動させる。次に、図４において、図示しない駆動手段によりギア４１を図中時計回りに回転させる。
ギア４１を回転させると係合突起４３がビルプレスアームリンク３６の係止部４０に係合し、ビルプレスアームリンク３６を図中時計回りに回動させる。
【００３３】
ビルプレスアームリンク３６を図中時計回りに回動させると図１１に示すようにビルプレスＡ３１は２６を支点として上昇し、それに伴いビルプレスＢ３２も上昇する。また、支点３５でビルプレスＡ３１に接続されたアーム３４も図中時計回りに回動する。
さらにビルプレスアームリンク３６を図中時計回りに回動させるとそれに伴って回動されるアーム３４はストッパ５０により係止され回動を停止する。
【００３４】
アーム３４がストッパ５０により係止され回動を停止した後、さらにビルプレスアームリンク３６を図中時計回りに回動させると図１２に示すようにビルプレスＡ３１およびビルプレスＢ３２が上昇し直線状になる。
ビルプレスアームリンク３６を図中時計回りに回動させ、図９に示すようにビルプレスＡ３１およびビルプレスＢ３２を直線状にすると、さらに、ビルプレスＡ３１の端部が紙幣搬送路４６より上方に位置させるようにする。なお、このときビルプレスＢ３２のスライド支点４４は図示しないスライド部でスライド部４５と連結している。
【００３５】
このようにビルプレス２５を紙幣搬送路４６より上方に配置させ、また、ビルプレス２５を直線状にし、紙幣プール２２の側面を形成して出金紙幣搬送路４６から搬送される紙幣を集積するようにする。
以上説明したように、本実施例では、図８に示すようにビルプレス２５を支点で屈折させるようにしてその先端部であるビルプレスＡ３１で紙幣プールに投入された紙幣を繰出しローラ２７に当接するように押圧するため、繰出しローラ２７による繰出し精度を低下させることなくその後端部であるビルプレスＢ３２の長さを短くすることができ、また先端部であるビルプレスＡ３１の長さを長くすることができる。したがって、図１０に示すように紙幣プール２２の紙幣を操作者１００の視覚により確認できる範囲を広くすることができ、紙幣の取り忘れ等を防止することができるという効果が得られる。
【００３６】
また、図１３に示すようにビルプレスＡ３１は投入された紙幣２４の上部を押圧するため、紙幣２４に混入した異物５１は紙幣プール２２から落下し易くすることができるという効果が得られる。
さらに、図１４に示すようにビルプレスＡ３１は投入された紙幣２４の先端部を押圧するため、紙幣２４に混入した異物５１は繰出しローラ２７により繰出されることなく紙幣プール２２に残り易くすることができるという効果が得られる。
【００３７】
またさらに、図９に示すようにビルプレスＡ３１およびビルプレスＢ３２を直線状にするため、出金紙幣を集積する紙幣プールの空間を広くとることができ、紙幣搬送路から搬送される紙幣をジャムさせ難くすることができるという効果が得られる。
【図面の簡単な説明】
【００３８】
【図１】実施例における紙幣入出金機の外観斜視図
【図２】実施例における紙幣入出金部の左側断面の説明図
【図３】実施例におけるビルプレスの構成を示す説明図
【図４】実施例におけるビルプレスの構成を示す左側断面の説明図
【図５】実施例における紙幣プールを構成する部位の斜視図
【図６】実施例におけるビルプレスアームリンクの説明図
【図７】実施例における紙幣投入または受取り時の紙幣入出金部の左側断面の説明図
【図８】実施例における入金紙幣分離時の紙幣入出金部の左側断面の説明図
【図９】実施例における出金紙幣集積時の紙幣入出金部の左側断面の説明図
【図１０】実施例における紙幣入出金機の左側断面の説明図
【図１１】実施例における紙幣出金時のビルプレスの左側断面の説明図
【図１２】実施例における紙幣出金時のビルプレスの左側断面の説明図
【図１３】実施例における紙幣入金時のビルプレスの左側断面の説明図
【図１４】実施例における入金紙幣分離時のビルプレスの左側断面の説明図
【図１５】従来の紙幣入出金機における紙幣投入または受取り時の紙幣入出金部の左側断面の説明図
【図１６】従来の紙幣入出金機における入金紙幣分離時の紙幣入出金部の左側断面の説明図
【図１７】従来の紙幣入出金機における出金紙幣集積時の紙幣入出金部の左側断面の説明図
【符号の説明】
【００３９】
１    紙幣入出金機
２    顧客操作表示盤
３    紙幣入出金口
４    カード挿入排出口
５    明細票排出口
７    筐体
２１  紙幣プール壁
２２  紙幣プール
２３  異物回収箱
２４  紙幣
２５  ビルプレス
２６、３３、３５  支点
２７  繰出しローラ
２８  フィードローラ
２９  ゲートローラ
３０  入金紙幣搬送路
３１  ビルプレスＡ
３２  ビルプレスＢ
３４  アーム
３６  ビルプレスアームリンク
３７  スタッド
３８、４５  スライド部
３９  スプリング
４０  係止部
４１、４７  ギア
４３  係合突起
４４  スライド支点
４６  出金紙幣搬送路
４８  カウンタギア
５０  ストッパ
【図１】
0004655777.tif 000002
【図２】
0004655777.tif 000003
【図３】
0004655777.tif 000004
【図４】
0004655777.tif 000005
【図５】
0004655777.tif 000006
【図６】
0004655777.tif 000007
【図７】
0004655777.tif 000008
【図８】
0004655777.tif 000009
【図９】
0004655777.tif 000010
【図１０】
0004655777.tif 000011
【図１１】
0004655777.tif 000012
【図１２】
0004655777.tif 000013
【図１３】
0004655777.tif 000014
【図１４】
0004655777.tif 000015
【図１５】
0004655777.tif 000016
【図１６】
0004655777.tif 000017
【図１７】
0004655777.tif 000018